Podtech/llm-jp-corpus-v4-ja_patent huggingface dataset:
(57)【要約】      （修正有）【課題】保護帽のズレを軽減し、装着性を向上させる保護帽のズレ防止機能付アゴヒモを提供する。【解決手段】保護帽と、前記保護帽或はその内部に設けられた装着体に取り付けた上アゴヒモ１０１とを備え、前記上アゴヒモと下アゴヒモ１０２が重なった箇所に外アゴ玉１０３と、内アゴ玉１０４を各係合孔１０３ａ、ｂ及び１０４ｃ、上アゴヒモ案内孔１０４ａ、ｂを介して取り付けることを特徴とする保護帽のズレ防止機能付アゴヒモである。【選択図】図２
0003131734.tif 000002
【実用新案登録請求の範囲】
【請求項１】
保護帽装着体において、各ハンモック或は帽体内側ブラケットと対応する上アゴヒモとを一連として繋げ、その途中に下アゴヒモを吊り下げた保護帽装着体において、前記上アゴヒモと前記下アゴヒモが交差する部分に、外アゴ玉と内アゴ玉を前記上アゴヒモと前記下アゴヒモとを通し、前記外アゴ玉を移動させることにより、前記下アゴヒモを固定させ、外部からの衝撃などの力による前記保護帽のズレや脱落を防ぐことができることを特徴とする保護帽のズレ防止機能付アゴヒモ
【請求項２】
前記下アゴヒモが反射糸で織り込まれたことを特徴とする請求項１に記載の保護帽のズレ防止機能付アゴヒモ
【請求項３】
前記下アゴヒモに反射テープが貼り付けられていることを特徴とする請求項１または２に記載の保護帽のズレ防止機能付アゴヒモ
【請求項４】
前記下アゴヒモが蓄光糸で織り込まれたことを特徴とする請求項１乃至３に記載の保護帽のズレ防止機能付アゴヒモ
【請求項５】
前記下アゴヒモ自体が反射材で構成されている請求項１乃至４に記載の保護帽のズレ防止機能付アゴヒモ
【請求項６】
前記下アゴヒモ自体が防臭或は消臭効果のある繊維で構成されている請求項１乃至５に記載の保護帽のズレ防止機能付アゴヒモ
【請求項７】
前記下アゴヒモに蛍光塗料が塗布されていることを特徴とする請求項１乃至６に記載の保護帽のズレ防止機能付アゴヒモ
【考案の詳細な説明】
【技術分野】
【０００１】本考案は保護帽の装着性を安定させるための内装具に関する。
【背景技術】
【０００２】従来から、一般的に作業現場では頭部を守るために保護帽を使用しており、この保護帽が脱げないようにアゴヒモなどの着装体が設けられている。
【考案の開示】
【考案が解決しようとする課題】
【０００３】この保護帽に取り付けられている上アゴヒモと下アゴヒモとは個々の装着時に自由に位置を決めることができるようになっているが、その位置が自分の意思に反して移動し、外部からの衝撃などによって保護帽がズレてしまうことがあり、非常に危険であった。【０００４】また、従来はアゴヒモに突起物などを押し当てて留める方法がとられており、その突起物などでアゴヒモに傷が付くことがあった。【０００５】そこで本考案は、保護帽を前後からの衝撃などの力によるズレや脱落を防止することができるように、また上下アゴヒモに傷がつかないように固定させるための考案である。
【参考文献】
特開２０００−２４８４１５
特許第３７７６２８２号
特開平１０−１２１３１６
【課題を解決するための手段】
【０００６】保護帽１０５と、前記保護帽或はその内部に設けられた装着体に取り付けた上アゴヒモ１０１と、を備え、前記上アゴヒモと下アゴヒモ１０２が重なった箇所に外アゴ玉１０３と、内アゴ玉１０４を各係合孔１０３ａ、ｂ及び１０４ｃ、上アゴヒモ案内孔１０４ａ、ｂを介して取り付けることを特徴とする保護帽のズレ防止機能付アゴヒモである。
【考案の効果】
【０００７】この保護帽のズレ防止機能付アゴヒモは部品が上アゴヒモ及び下アゴヒモを介して一連に取り付けてあるため、調節時に部品が脱落してしまうことがなく、また保護帽を装着している時にも自由な位置に調節が可能であり、かつ上下アゴヒモを傷つけることなく固定することができる。
【０００８】よって、この保護帽のズレ防止機能付アゴヒモは外部からの衝撃などの力によるズレや脱げを防止することにより、安全性の向上を図ることができる。
【実施例】
【０００９】図１は本考案の部品使用時の概観を示す図であり、図２は長さ調節時の部品断面図、図３は実施例の説明図、図４はテープ状の合成繊維等で構成される上アゴヒモ１０１と、同じくテープ状の合成繊維等で構成される下アゴヒモ１０２との干渉部の詳細図である。【００１０】図１において前記保護帽のズレ防止機能付アゴヒモは、合成樹脂で成形された外アゴ玉１０３及び、同じく合成樹脂で成形された内アゴ玉１０４と、上アゴヒモ１０１と、下アゴヒモ１０２により構成されている。【００１１】図２は長さを調節する時の部品断面図であるが、この図が示すように、前記上アゴヒモ１０１は前記外アゴ玉１０３の係合孔１０３ａ、１０３ｂ、内アゴ玉１０４の案内孔１０４ａ、係合孔１０４ｃを通し、下アゴヒモ１０２を吊り下げ、同係合孔１０４ｃ、１０４ｂ、１０３ｂ、１０３ａを通すことにより設けられている。【００１２】よって装着時においても上アゴヒモを自由に移動させることができ、かつ前記外アゴ玉１０３及び内アゴ玉１０４が前記上アゴヒモ１０１を介して一連となっているため、固定部の位置を調節している時であっても、各部品が脱落することがない。【００１３】図３、４は実施例の斜視図で、各部品を解離させた状態を示す。前記上アゴヒモ１０１を前記係合孔１０３ａ、ｂ、耳掛けヒモ案内孔１０４ａ、係合孔１０４ｃに通した後、前記下アゴヒモ１０２を吊り下げ、再度１０４ｃ、１０４ｂ、１０３ａ、ｂを通す。これにより、各部品はすべて前記上アゴヒモに通されているので解離させた時も脱落する心配はない。【００１４】また、前記保護帽のズレ防止機能付アゴヒモは前記外アゴ玉１０３と前記内アゴ玉１０４を解離させることにより前記下アゴヒモ１０２の緊張を緩和することができ、逆に前記内アゴ玉１０４を前記外アゴ玉１０３に挿入することにより前記下アゴヒモ１０２の動きを固定させることができる。
【産業上の利用可能性】
【００１５】以上のように本考案によれば、保護帽を装着したまま上アゴヒモと下アゴヒモの干渉位置を移動させることができ、その時の部品の脱落の心配もなくなる。【００１６】また、従来例に述べたような、外部からの衝撃などによる帽体のズレや脱げを防ぐことができる。
【図面の簡単な説明】
【図１】本考案の部品使用時の概観を示す側断面図である。
【図２】本考案の長さを調節する時の部品断面図である。
【図３】実施例の説明のための上方からの斜視図である。
【図４】実施例の説明のための下方からの斜視図である。
【図５】上アゴヒモと下アゴヒモとの干渉部の詳細図である。
【符号の説明】
１０１  上アゴヒモ
１０２  下アゴヒモ
１０３  外アゴ玉
１０３ａ、ｂ  係合孔
１０４  内アゴ玉
１０４ａ、ｂ  上アゴヒモ案内孔
１０４ｃ  係合孔
１０５  保護帽
【図１】
0003131734.tif 000003
【図２】
0003131734.tif 000004
【図３】
0003131734.tif 000005
【図４】
0003131734.tif 000006
【図５】
0003131734.tif 000007
(57)【要約】      （修正有）【課題】襟は汚れやすく、また型崩れするので、それを防止する事により、シャツ等着用者に対しては清楚なスタイルと清潔感を与える。【解決手段】人体首部と直接接する側のシャツ襟内周面３に沿って差込み、吸湿性布地等で形成した襟カラーＡ１を設け、さらにこのシャツ襟内周面３の裏側になるシャツ襟外周面４に沿って差込み、襟カラーＢ２を設け、つぎにこれら襟カラーＡ１の中央端面部分と襟カラーＢ２の中央端面部分をつなぎ止めるロゴカラー５を設け、さらに前記カラーの先端部分に、止めカラー６を装着する。【選択図】図１
0003131782.tif 000002
【実用新案登録請求の範囲】
【請求項１】
人体首部と直接接する側のシャツ襟内周面（３）に沿って差込む、吸湿性布地等で形成した、襟カラーＡ（１）を設け、さらにこの、シャツ襟内周面（３）の裏側になるシャツ襟外周面（４）に沿って差込む、襟カラーＢ（２）を設け、つぎにこれら襟カラーＡ（１）の中央端面部分と襟カラーＢ（２）の中央端面部分を、つなぎ止めるロゴカラー（５）を設け、さらに前記カラーの先端部に止めカラー（６）を装着してなる、シャツ襟の汚れ・型崩れ防止カラー。
【考案の詳細な説明】
【技術分野】
【０００１】  本考案は、シャツ襟の型崩れや、襟の内側が人体の汗等で汚れるので、その防止手段に関するものである。
【背景技術】
【０００２】  従来、ワイシャツ等の襟は汚れやすく、特に襟内側は人体に接するので影響大である。また、襟の型崩れはクリーニングを施しても、時間の経過と共に崩れてくるものである。その為、種々対策として開発開示されているが、特開平８−４９１０１の襟つきシャツ。実開平５−２７００２のＹシャツ襟汗取り用紙。特開平１１−２１７０１のワイシャツ襟の汚れ防止貼り付カバー。特開２０００−２９０８０３のボタンによる着脱式の替え襟シャツおよびシャツ本体と替え襟（スペア襟）を組み合わせたセット。実用新案登録第３１０６１９３号の替えカラー付きシャツおよび替えカラー等がある。
【考案の開示】
【考案が解決しようとする課題】
【０００３】  数多く開発開示されてはいるが、どれもシャツと襟を脱着自在にさせた分離方法が主体で、これではシャツメーカー等は襟無しシャツをわざわざ作らねばならず、その着脱方式も取り入れたものを作るとなれば、さらにコストがかかるのである。それであれば最初から、普通のシャツとして生産する方が理にかなっている。その他、内襟に貼り付ける汗取り用紙や汚れ防止カバーがあるが、糊を塗布したもので接着する方式であり、外襟の型崩れの対策はなんら提供してしていない。
本考案は、これらの問題点を解消するためになされたものである。
【課題を解決するための手段】
【０００４】  まず、人体首部に接する側のシャツ襟内周面（３）に沿って、前記内周面を完全に覆いこむ形で、差し込んで使用する襟カラーＡ（１）を設ける。この襟カラーＡ（１）は吸湿性の高い布地等で構成形成されている。さらにシャツ襟内周面（３）の裏側になる、シャツ襟外周面（４）に沿って、差し込んで使用する襟カラーＢ（２）を設ける。またシャツ襟内周面とはシャツの首部、立ち上がり部分の内側であり、この外側がシャツ襟外周面（４）である。つぎにこれら襟カラーＡ（１）の中央端面と襟カラーＢ（２）の中央端面とを繋ぎ止める、ロゴカラー（５）を設け、さらに前記カラーＡ、カラーＢの先端が必要以上に開かないように、止めカラー（６）を襟カラーＡ（１）の先端に装着して、襟カラーＢ（２）の先端部に止められるように構成する。
本考案は以上のような構成よりなる、シャツ襟の汚れ・型崩れ防止カラーである。
【考案の効果】
【０００５】  シャツの襟の汚れ、正確には襟の内側が、頭や首の汗、油脂成分および埃等による酷い汚れから、解放された。また襟はこれら汚れの成分や、シャツに加わる外力により、襟の型崩れが著しいが、本考案でクリーニング仕立て状態を長く保てるようになった。
また、本考案は消耗品であるが、洗濯やドライクリニングを行えば、何回でも利用する事が出来る特徴を持ち、シャツと共に長持ちして経済的効果大である。
【考案を実施するための最良の形態】
【０００６】  誰でもシャツおよびワイシャツ類はいつもノリの効いた、清潔で奇麗なクリニング仕立てのままで着用したいと云う思いがあるが、特に首回りの襟は非常に目立つ存在であり、これがまた一番汚れやすい部分であり、型崩れする部分でもある。本考案はこの襟部分をいつまでも、汚れ、および型崩れを防止して、高い清潔感を提供する。
まず、人体首部の肌に接する内側のシャツ襟内周面（３）に沿って、前記内周面を完全に覆いこむ形で、差し込んで止める襟カラーＡ（１）を設ける。この襟カラーＡ（１）は吸湿性の高い布地等で構成形成されている。さらに図３のごとく、シャツ襟内周面（３）の反対裏側になる、シャツ襟外周面（４）に沿って、差し込んで使用する襟カラーＢ（２）を設ける。またシャツ襟内周面とはシャツの首部、立ち上がり部分の内側であり、この外側がシャツ襟外周面（４）である。つぎにこれら襟カラーＡ（１）の中央端面と襟カラーＢ（２）の中央端面とを繋ぎ止める、ロゴカラー（５）を設け、さらに前記カラーＡとカラーＢの先端が開かないように、止めカラー（６）を装着する。
本考案は以上のような構成であり、これを使用せんとするときには、【０００７】  シャツ襟の首部分のシャツ襟内周面（３）に、襟カラーＡ（１）を差し込み、また襟カラーＢ（２）をシャツ襟外周面（４）に差し込む、この時前記両カラーを繋いで設けてある、ロゴカラー（５）が襟の後方中央に来るようにする。さらに襟カラーの先端を止めカラー（６）で止める。そして、前記両カラーが汚れたり、シャツ  交換等で洗濯、クリニーングする時に、外すせば良い。
【図面の簡単な説明】
【０００８】
【図１】    本考案の斜視図である。
【図２】    本考案のＡ−Ａ断面図である。
【図３】    本考案の実施図である。
【図４】    本考案の使用説明図である。
【符号の説明】
【０００９】    １  襟カラーＡ
２  襟カラーＢ
３  シャツ襟内周面
４  シャツ襟外周面
５  ロゴカラー
６  止めカラー
【図１】
0003131782.tif 000003
【図２】
0003131782.tif 000004
【図３】
0003131782.tif 000005
【図４】
0003131782.tif 000006
(57)【要約】【課題】  簡単に片手でも正確に計量することの出来る計量パチンコ玉すくいカップを提供する。【解決手段】  有底筒形状の計量パチンコ玉すくいカップ１の上端の開口部２の内側の入れ口にストッパー３を設け、ストッパー３の設けられたリブ面５の内側の壁に開口部２より底面６に向け垂直な方向に伸長する複数のリブ４を設けた。【選択図】図１
0003131785.tif 000002
【実用新案登録請求の範囲】
【請求項１】
有底筒型形状のカップからなる計量パチンコ玉すくいカップにおいて、前記カップの上端の開口部１面以上の面の内側の壁に開口部より底面に向け垂直な方向に伸長する複数のリブを設けたことを特徴とする計量カップ。
【請求項２】
前記カップの、内側の壁に開口部より底面に向け垂直な方向に伸長する複数のリブを設けた面の上端の開口部の内側の入れ口にストッパーを設けた事を特徴とする請求項１に記載の計量パチンコ玉すくいカップ。
【考案の詳細な説明】
【技術分野】
【０００１】本考案は、パチンコ玉の計量に使用されるパチンコ玉すくいカップに関するものである。
【背景技術】
【０００２】従来のパチンコ玉すくいカップは、有底筒形状の玉すくいカップからなる。ユーザーは玉すくいカップ内にパチンコ玉をすくい入れて、大体の分量で１カップ分量のパチンコ玉を計量していた。
【考案が解決しようとする課題】
【０００３】このように、前記従来の玉すくいカップでは、正確な計量が行えないという問題があった。
【０００４】  そこで、本考案は簡単に片手でも正確な計量を行える玉すくい計量パチンコ玉すくいカップを提供することを課題とする。
【課題を解決する為の手段】
【０００５】  本考案の請求項１と請求項２記載の計量パチンコ玉すくいカップによれば、有底筒型形状のカップの上端の開口部１面以上の面の内側の壁に開口部より底面に向け垂直な方向に伸長する複数のリブを設けたことにより、リブが設けられているリブ面でパチンコ玉をすくい取ると、カップ本体の上部の開口部内側の入れ口に設けられているストッパーによりパチンコ玉がこぼれ落ちるのを防ぎ、リブが設けられているリブ面にパチンコ玉を面一に敷きつめることでパチンコ玉はリブにそって列を作って並ぶので簡単に片手でも正確なパチンコ玉の計量をすることが出来る。
【考案を実施するための最良の形態】
【０００６】  以下、本考案に係わる計量パチンコ玉すくいカップ１の実施例について、図面に従って説明する。【０００７】  図１は本考案の実施形態に係る計量パチンコ玉すくいカップ１を示し、この計量パチンコ玉すくいカップ１は有底筒形状のカップからなる。カップ本体は、樹脂材料からなる。【０００８】  前記計量パチンコ玉すくいカップ１の上端の開口部２のリブ面５の内側の入れ口には、ストッパー３が設けられそのストッパー３より底面６に向け垂直な方向に伸長する複数のリブ４が設けられている。【０００９】  また、パチンコ玉７の直径が約１１ｍｍなので前記開口部２から底面６までの奥行きはパチンコ玉７が無駄なく並ぶ約１１ｍｍの倍数とし、前記リブ４も約１１ｍｍの所定感覚で設けられる。【００１０】  次に、前期構成からなる計量パチンコ玉すくいカップ１でパチンコ玉７を計量する場合について説明する。【００１１】  図３に示すように、カップ本体１でリブ面５にパチンコ玉７が面一になるように軽くパチンコ玉７をすくい取ると、すくい取ったパチンコ玉７はリブ面５内側に突設されたリブ４により整列され、開口部２の内側の入れ口に突設されたストッパー３によりパチンコ玉７はこぼれ落ちることないので、すくったパチンコ玉７を容易に面一に敷きつめることができるので、パチンコ玉７の数を一つずつ数えなくても簡単に片手でも正確なパチンコ玉７の量を計量することが出来る。【００１２】  また、リブ４の数を増やしたり減らしたりして成形する事によりカップ一杯分のパチンコ玉７の量を任意に設定変更することが出来る。【００１３】  また、開口部２から底面６の距離を縮めたり伸ばしたりして成形する事によりカップ一杯分のパチンコ玉７の量を任意に設定変更することが出来る。【００１４】  なお、前記文章にて参照した図３ではリブ面５のパチンコ玉７入り数が４０発表記されているが、パチンコ玉７入り数は任意に変更することが出来る。
【考案の効果】
【００１５】  以上の説明から明らかになるように、本考案によれば、有底筒形状のカップからなる計量パチンコ玉すくいカップ１において、計量パチンコ玉すくいカップ１の上端の開口部２の内側の入れ口にストッパー３を設け、ストッパー３の設けられた面の内側の壁に開口部２より底面６に向け垂直な方向に伸長する複数のリブ４を設けたので、計量パチンコ玉すくいカップ１でパチンコ玉７をリブ４が設けられたリブ面５に面一に敷きつめる事でパチンコ玉７はリブ４にそって列を作って並ぶので簡単に片手でも正確なパチンコ玉７の計量をすることが出来るという効果を奏する。
【図面の簡単な説明】
【図１】本考案に係る計量パチンコ玉すくいカップの斜視図である。
【図２】本考案に係る計量パチンコ玉すくいカップの正面図である。
【図３】本考案に係る計量パチンコ玉すくいカップのパチンコ玉計量時の斜視図である。
【図４】本考案に係る計量パチンコ玉すくいカップのパチンコ玉計量時の側面断面図である。
【図５】本考案に係る計量パチンコ玉すくいカップの上面からの断面図である。
【図６】本考案に係る計量パチンコ玉すくいカップの側面断面図である。
【図７】従来使用されてきた玉すくいカップの斜視図である。
【符号の説明】
１  計量パチンコ玉すくいカップ
２  開口部
３  ストッパー
４  リブ
５  リブ面
６  底面
７  パチンコ玉
８  玉すくいカップ
【図１】
0003131785.tif 000003
【図２】
0003131785.tif 000004
【図３】
0003131785.tif 000005
【図４】
0003131785.tif 000006
【図５】
0003131785.tif 000007
【図６】
0003131785.tif 000008
【図７】
0003131785.tif 000009
(57)【要約】【課題】  スキー又はスノーボード及びアクションスポーツでのニット帽子及び帽子類の帽体へのゴーグル使用時、生じる転倒及び外部衝撃によるゴーグルのズレ及び着脱を防止し競技の続行を可能とする。【解決手段】  ニット帽子及び帽子類の帽体１にバンド抑え３を取り付けバンド抑え３にゴーグルバンド２を挟み、バンド抑え留めボタン４を留め、ゴーグルバンドを固定させ帽体と一体型にすることによりアクションスポーツでのゴーグル使用時、生じる転倒及び外部衝撃によるゴーグルのズレ及び着脱を防止することができる。【選択図】図１
0003131781.tif 000002
【実用新案登録請求の範囲】
【請求項１】
ニット帽子及び帽子類の帽体に掛けられたゴーグルバンドを帽体に取り付けられたバンド抑えにより外部の衝撃及び振動よりゴーグルのズレ及び脱着を防止する機能を持ち合わせた特徴の帽体
【考案の詳細な説明】
【技術分野】
【０００１】  本考案はスキー又はスノーボード及びアクションスポーツでのゴーグル使用時、生じる転倒及び外部衝撃によるゴーグルのズレ及び着脱を防ぐニット帽子及び帽子類の帽体に関する。
【背景技術】
【０００２】  スキー又はスノーボード及びアクションスポーツでのゴーグル使用時、生じる転倒及び外部衝撃によるゴーグルのズレ及び着脱により競技者の競技続行を妨げ，競技を中断するおそれがあった。
【考案の開示】
【考案が解決しようとする課題】
【０００３】  従来はスキー又はスノーボード及びアクションスポーツでのニット帽子及び帽子類の帽体でのゴーグル使用時、生じる転倒及び外部衝撃によるゴーグルのズレ及び着脱のため競技の続行を難しくしていた。
【課題を解決するための手段】
【０００４】  ニット帽子及び帽子類の帽体自体にゴーグルバンド抑えを取り付けることによりスキー又はスノーボード及びアクションスポーツでのゴーグル使用時、生じる転倒及び外部衝撃によるゴーグルのズレ及び着脱を防止する
【考案の効果】
【０００５】  スキー又はスノーボード及びアクションスポーツでのゴーグル使用時、生じる転倒及び外部衝撃によるニット帽子及び帽子類に掛けたゴーグルのズレ及び着脱を防ぎ競技の続行を可能とする。
【考案を実施するための最良の形態】
【０００６】  ゴーグルを掛ける帽体自体にゴーグルバンド２を抑えるバンド抑え３を取り付ける、バンド抑え３の下部はボタン形状４にし、上からゴーグルバンド２を挟み込み帽体と一体型にすることによりアクションスポーツでのゴーグル使用時、生じる転倒及び外部衝撃によるゴーグルのズレ及び着脱を防止することができる。
【図面の簡単な説明】
【０００７】
【図１】ゴーグル抑えバンド機能を備え付けた帽体の横図面
【図２】ゴーグル抑えバンド機能を備え付けた帽体の斜面図面
【符号の説明】
【０００８】１  帽体
２  ゴーグルバンド
３  バンド抑え
４  バンド抑え留めボタン
【図１】
0003131781.tif 000003
【図２】
0003131781.tif 000004
(57)【要約】【課題】大型化したヘッドを持つパタークラブをキャディーバックなどに収納しやすくする。【解決手段】パタークラブのヘッドを分割して、キャディーバックに収納時、分割したヘッドを折りたたみ、使用時はこれを開き、固定具で固定して使用する。【選択図】図１
0003131783.tif 000002
【実用新案登録請求の範囲】
【請求項１】
ヘッドを分割したことを特徴とするパタークラブ。
【考案の詳細な説明】
【技術分野】
【０００１】本考案は、パタークラブに関する。
【背景技術】
【０００２】ゴルフクラブは高機能化などを目的に改良が進んでおり、特にクラブヘッドの大型化が顕著となっている。パタークラブにおいても、大型ヘッドクラブが数々と考案されている。
【特許文献１】特開２００６−２０９３２
【特許関連文献２】
特開２００６−３４５
【考案の開示】
【考案が解決しようとする課題】
【０００３】しかし、大型ヘッドを持つパタークラブは、キャディーバックに収納しにくく非常に不便である。大型ヘッドのパタークラブはキャディーバックの中で、他のクラブのシャフト部分に位置して、収容面積を大幅に占有してしまう。本考案はこのような、パタークラブのヘッドを分割して、収納しずらい不便さを解決することを課題とする。
【課題を解決するための手段】
【０００４】課題を解決するための請求項１の考案は、キャディーバックなどで、運搬携行時にクラブヘッドを分割面より折りたたみ、プレーする時におりたたみを開き、固定して、使用できるよう考案した。
【考案の効果】
【０００５】よって本考案のパタークラブは、キャディーバックなどに収納しやすくなり、運搬携行が容易となる。ゴルファーにとっては不便さを少しでも軽減して、よりゴルフを楽しむことができる。又、ヘッドを分割したことにより、異なるウエイト、異なる形状のヘッドに交換することが可能であり、多様なクラブの考案につながる。尚これら新考案クラブの製作をも拡大することが期待できる。
【考案を実施するための最良の形態】
【０００６】本考案に関わる分割ヘッドのパタークラブは図１に示すように、クラブシャフト１及び、クラブフェース面と平行に分割された、ヘッド２と分割ヘッド３で構成する分割された二つのクラブヘッドは連結軸５をかいして、連結アーム４で結合したものである。アーム４は連結軸を中心に可動するが、分割ヘッドは固定具６で固定される。固定具はねじ止め、ロック装置、自動ロック装置などであるが、併用してもよい。溝７は固定をはずし、分割ヘッドを立てたときに、シャフト１が収容される。又、ラインマーカー８は他の図柄としてもよい。【０００７】図２は、パタークラブをキャディーバックなどに収納するために、分割ヘッド３を立てた状態の側面図である。なお、分割ヘッドの固定をより堅固として、密着性を高める目的で、分割ヘッドそれぞれの接合面にマグネット９を埋め込んでいる、又図中１０は固定具の受けである。
【産業上の利用可能性】
【０００８】本考案に関わるパタークラブは、工業的に量産することが可能であるため産業上の利用可能性を有する。ゴルファーとっても利便性があり、ゴルフ人口の拡大をもとに、ゴルフ産業への貢献が期待できる。また、用具の多様性が拡大することから、新た考案を誘起するとともに、製作、製造の拡大にもつながる。
【図面の簡単な説明】
【０００９】
【図１】本考案のパタークラブの分割ヘッド外観図である。
【図２】分割ヘッドを折りたたんだ状態の側面図である。
【符号の説明】
【００１０】１    シャフト
２    ヘッド
３    分割ヘッド
４    連結アーム
５    連結軸
６    固定具
７    シャフト収納溝
８    ラインマーカー
９    連結マグネット
１０  固定具受け
【図１】
0003131783.tif 000003
【図２】
0003131783.tif 000004
(57)【要約】      （修正有）【課題】従来のものでは、冷え症状の緩和に十分な効果が得られず、また靴を履くとき窮屈になっていた。【解決手段】ウレタンフォーム材を用い、足の指５本を載せる直方体状クッション台をつくり、これの上方を包帯状の布２で包み、両端を下方で止め、ゴムを用いて緒３をすげて構成した爪先保温バンド。【選択図】図１
0003131780.tif 000002
【実用新案登録請求の範囲】
【請求項１】
ウレタンフォーム材で足指５本を載せる直方体状クッション台（１）をつくり、これの上方を包帯状の布（２）で包み、両端を下方で止め、ゴムを用いて親指と人差指間の部分に緒（３）をすげて構成した爪先保温バンド。
【考案の詳細な説明】
【技術分野】
【０００１】  この考案は、冷え性の人の足の爪先の冷え症状緩和するための保温バンドに関するものである。
【背景技術】
【０００２】  従来、足の爪先の冷え症状の緩和には、厚手の靴下を履いたり、靴下を２枚重ねて履いたりしていた。
【考案の開示】
【考案が解決しようとする課題】
【０００３】  このため、従来のものでは、冷え症状を緩和に十分な効果が得られず、また靴を履くとき窮屈になっていた。この考案は、このような問題点を解消するためになされたものである。
【課題を解決するための手段】
【０００４】  この考案に係わる爪先保温バンドは、ウレタンフォーム材で足の指５本を載せる直方体状クッション台（１）をつくり、これの上方を包帯状の布（２）で包み、両端を下方で止めゴムを用いて親指と人差指間の部分に緒（３）をすげて構成したものである。
【考案の効果】
【０００５】  この考案の爪先保温バンドによれば、鼻緒と同じ働きで親指と人差し指の間に適度な刺激を与えて血行をよくし、冷え込む爪先を優しく包み汗を吸収し効果的に保温できる。
また、爪先保温バンドを装着したまま靴や靴下を履くことができ、屋外の作業において、厚手の靴下や防寒靴に加えてこの爪先保温バンドを用いると寒さを優しく緩和できる。
【考案を実施するための最良の形態】
【０００６】  以下、図面に基づいて、この考案の実施例を説明する。
図２から図３に示すように、この爪先保温バンドは、低反発ウレタンフォーム材を用いて、足（１０）の指５本を載せる直方体のクッション台（１）をつくり、このクッション台（１）の上方を図２のように包帯状の布（２）でクッション台を包み、親指（１０ａ）と人差し指（１０ｂ）間の部分のクッション台の前後に切り込みを入れて輪ゴムを用いて緒（３）をすげることで完成する。なお、包帯状の布（２）の両端部（２ａ）（２ｂ）は、図３（ｂ）に示すようにクッション台（１）の底面に接着されている。
この考案に係わる爪先保温バンドは、図１に示すように  クッション台（１）と包帯状の布（２）間に、親指（１０ａ）と人差し指（１０ｂ）から小指（１０ｃ）の指４本とを一束にして挿入することで使用する。
【図面の簡単な説明】
【０００７】
【図１】  この考案の使用状態を示す図で、（ａ）は平面図、（ｂ）は正面図である。
【図２】  この考案にかかる実施例の爪先保温バンドの正面図である。
【図３】  図２に示した爪先保温バンドを上方および下方から見た図で、（ａ）は平面図、（ｂ）は底面図である。
【符号の説明】
【０００８】    １  クッション台        ２  包帯状の布
３  輪ゴムを用いた緒。  ４  クッション台の切り込み
【図１】
0003131780.tif 000003
【図２】
0003131780.tif 000004
【図３】
0003131780.tif 000005
(57)【要約】      （修正有）【課題】左右どちらかの手が使えない状態の時に、片手で筆記作業をする場合に、時間が掛かり字体も崩れてしまう不都合を解消する。【解決手段】Ｌ型平板１に、手２の平で包み込める程の大きさの突起物３を斜めに取り付けた筆記用補助具であり、この筆記用補助具１０により、紙が固定できるため、紙面がずれなく容易に筆記できる。【選択図】図３
0003131775.tif 000002
【実用新案登録請求の範囲】
【請求項１】
Ｌ型平板に、手の平で包み込める程の大きさの突起物を斜めに取り付けた筆記用補助具。
【考案の詳細な説明】
【技術分野】
【０００１】本考案は、左右どちらかの手が使えない状態の時に、片手での筆記作業を補助できるようにしたものである。
【背景技術】
【０００２】従来は、片手だけの筆記作業に紙が固定出来なく紙面のずれが生じたりしていた。
【考案の開示】
【考案が解決しようとする課題】
【０００３】しかし、これでは、筆記作業に時間が掛かり字体も崩れ不便である。
【課題を解決するための手段】
【０００４】そこで、Ｌ型平板に、手の平で包み込める程の大きさの突起物を斜めに取り付けた筆記用補助具を考案した。この筆記用補助具により、紙が固定できるため、紙面がずれなく容易に筆記できるのである。
【考案の効果】
【０００５】よって、本考案の筆記用補助具により、片手だけで筆記作業する時に時間も掛からず字体も崩れる事がなくなる。また、消しゴムを使用するときも紙の引きずりが無く作業が容易である。また、簡単な水平線及び垂直線も引く事ができる。
【考案を実施するための最良の形態】
【０００６】本考案に係る筆記用補助具１０は、Ｌ型平板１に手２の平で包み込める程の大きさの突起物３を斜めに取り付けて形成されている。突起物３の先端４の形状は手の平の中で回転し易い様に球状が良い。素材は透明なＬ型平板でアクリルが望ましい。
【図面の簡単な説明】
【０００７】
【図１】本考案の平面図である。
【図２】本考案の断面図である。
【図３】本考案の使用状況を示す斜視図である。
【符号の説明】
【０００８】  １  Ｌ型平板
２  手
３  突起物
４  突起物先端
５  筆記具
６  紙
１０  筆記用補助具
【図１】
0003131775.tif 000003
【図２】
0003131775.tif 000004
【図３】
0003131775.tif 000005
(57)【要約】【課題】    本考案は棒状本体先端の球体磁石をスムーズに回転するように装着するかが課題である。【解決手段】  １図は構造断面図で先端の球体が磁石のため本体他すべてにプラスチック素材で加工し又スムーズに球体磁石が回転するように球固定ツメ付ボスネジ上部にエステオイルの投入したパイプケースを差し込み本体にセットする、球体面を肌面に軽くスライドすると球体の隙間からオイルが染み出てスムーズに球が回転して肌面がＳ極Ｎ極と交互に極性が移動して血流とマッサージエステ美容効果がある。【選択図】図１
0003131777.tif 000002
【実用新案登録請求の範囲】
【請求項１】
棒状本体先端に取り付けた球体回転磁石によるマッサージ美容器
【考案の詳細な説明】
【技術分野】
【０００１】  本考案は本体先端に回転球体磁石を装着した美容器に関する。
【背景技術】
【０００２】  従来のエステマッサージ美容器には球体磁石の回転を利用したものはなかった。
【考案の開示】
【考案が解決しようとする課題】
【０００３】  本体の先端にスムーズに球体磁石が回転するように装着するかが課題である。
【課題を解決するための手段】
【０００４】  本体の先端回転球は磁石のため、すべてプラスチック材質の材料を使用し又固定した球の回転をより良くするためにエステ用オイルをパイプケースに入れて球の上部より球の回転によって少しずつ染み出し球体磁石の回転を良くする様にして解決した。
【考案の効果】
【０００５】  本考案は回転する球体磁石にエステオイルを使用する事によってスムーズに回転しながらエステオイルが染み出てマッサージとエステ美容の効果がある。
【考案を実施するための最良の形態】
【実施例】
【０００６】  本考案の図面に従って説明する、（図１）は構造断面図で１本体に２球固定ツメ付ボスに３球体磁石を上から入れ４球ストッパーボスネジで球をかるく固定する。【０００７】  ５エステオイルケースに６エステオイルを投入して４球ストッパーボスネジの上の穴に差込んで１本体にセットする。【０００８】  セットされた１本体の３球体磁石面を皮膚面に軽くスライドすることで３球体磁石が回転し３ａＳ極と３ｂＮ極が交互に皮膚面を移動することで血流を助け又３球体磁石の回転によりエステオイルが染み出しマッサージエステ美容効果が高まる。
【図面の簡単な説明】
【０００９】
【図１】  構造断面図
【符号の説明】
【００１０】  １    本体
２    球固定ツメ付ボスネジ
３    球体磁石
３ａ  Ｓ極
３ｂ  Ｎ極
４    球ストッパーボスネジ
５    エステオイルケース
６    エステオイル
【図１】
0003131777.tif 000003
(57)【要約】      （修正有）【課題】容器の口に水平に置けて、更に計量と合わせて小容器としての用途も兼ねる計量スプーンを提供する。【解決手段】計量スプーンの計量部３の持手部が取り付けられている側と反対側にその裏面１aが持手部の裏面２aと同一平面となる突起１を備える。これにより様々な容器の口に渡して水平に置くことができる。更にスプーンの計量部３の計量可能な上限３aの上方に余裕部分４を付加的に設けることにより、計量と合わせて小容器としての用途も兼ねることができる。  【選択図】図３
0003131794.tif 000002
【実用新案登録請求の範囲】
【請求項１】
計量部の持手部が取り付けられている側と反対側に、その裏面が、持手部の裏面と同一平面となる突起を備えた計量スプーン。
【請求項２】
前記計量部の計量可能な上限の上方に余裕部分を設けた請求項１に記載の計量スプーン。
【請求項３】
計量部の前記突起が設けられた側の内面のみに計量用目盛りを付けた請求項１または２に記載の計量スプーン。
【請求項４】
前記計量部の容量が４５ＣＣである請求項１乃至３の何れかに記載の計量スプーン。
【考案の詳細な説明】
【技術分野】
【０００１】
本考案は、調理用計量スプーンに関するものである。
【背景技術】
【０００２】
調理用計量スプーンは、一般に半円球状の計量部に持手部となる柄が付いた形で、2.5ＣＣ、5ＣＣ、15ＣＣが用いられている。
【考案の開示】
【考案が解決しようとする課題】
【０００３】
前記計量スプーンは、その形の故に水平に置くことが出来ないので、計量する際に常に片手で持っていなければならず両手が自由に使えない不便があった。そこで計量スプーンを容器の口に水平に置ける形にすることにより、前述の問題を解決しようとするものである。
【０００４】
また前記計量スプーンは、一度に一種類の調味料や食品を量る目的で作られ、またその様に用いられてきた。調理においては数種類の調味料や食品を量る必要は常にあるが、その際に量った物を入れておいたり使用中の計量スプーンを置くのに、複数の容器を使う必要があった。そこで、前記計量スプーンに、余裕部分を付加して、計量に加えて小容器としての用途を兼ねさせることにより、使用する容器の数を少なくてすむ様にして、前述の問題を解決しようとするものである。
【０００５】
更に前記計量スプーンには、計量用目盛りの付いている物は少なく、１／２、１／３、２／３量などが量りにくい難点があった。
【課題を解決するための手段】
【０００６】
計量部の持手部が取り付けられている側と反対側にその裏面が持手部の裏面と同一平面となる突起を備える。これにより容器の口の両端に渡して水平に置くことが出来て課題１を解決できる。
【０００７】
また、前記計量部の計量可能な上限の上方に余裕部分を付加的に設ける。これにより数種類の調味料や食品を合わせて量ったり、混ぜることができて小容器としての用途も兼ね課題２を解決できる。
【０００８】
更に計量部の前記突起が備えられた側の内面のみに計量用目盛りを付ける。これにより課題３を解決できる。
【０００９】
前記計量部の容量が４５ＣＣである計量スプーンを加えこれにより課題２をより良く解決できる。
【考案の効果】
【００１０】
上述したように本考案の計量スプーンは様々な容器の口に水平に置くことが出来るので、両手を自由に使える上により正しく量ることができる。
【００１１】
また、数種類の調味料や食品を合わせて計量したり、混ぜ合わせることが出来て、計量に加えて小容器としての用途も兼ね、他の容器の使用を減らすと共に調理の手間を省く効果がある。これは最近多い１人又は２人分の少人数の調理や健康上栄養摂取量に配慮した食事を作る際に重宝である。
【００１２】
更に計量用目盛りを付けることでより正確に量ることができる。また数種類合わせて量るのに便利である。
【考案を実施するための最良の形態】
【００１３】
計量スプーンの突起１は出来るだけ短く、しかも容器の口に渡して置いた際、はずれ落ちない長さが望ましい。
【００１４】
計量部３の計量可能な上限３aの上方に、付加的に設ける余裕部分４は計量部上限３aまで入れた調味料等に少量の香辛料や添加物等を加えて混ぜ合わせる際にこぼれない程度でよい。
【００１５】
解決手段３の計量用目盛りは、水平に置いて見るので、点または短い線でもよい。
【実施例】
【００１６】
以下添付図面に従って説明する。図１は計量部３に本考案の突起１を備えた計量スプーンである。図２は計量部３の計量可能な上限３aの上方に余裕部分４を設けた計量スプーン３例である。
【００１７】
図３は図２に記載の本考案による計量スプーンを容器５の口に水平に置いた断面図である。これにより両手を自由に使うことができる。更に数種類の調味料や食品を合わせて計量したり、混ぜ合わせることができる。
【図面の簡単な説明】
【００１８】
【図１】計量部の持手部と反対側に突起を備えた計量スプーンの断面図
【図２】計量部の上方に余裕部分を設けた計量スプーンの断面図３例
【図３】図２の計量スプーンを容器の口に水平に置いた状態を示す断面図１例
【符号の説明】
【００１９】
１    突起                                １a    突起の裏面
２    持手部                              ２a    持手部の裏面
３    計量部                              ３a    計量部上限
４    余裕部分
５    容器
６    計量用目盛りを付ける位置
【図１】
0003131794.tif 000003
【図２】
0003131794.tif 000004
【図３】
0003131794.tif 000005
(57)【要約】【課題】密閉度が高くて稼働中の防塵性が高く、また設置方向にも対応でき、かつコスト低減が図れる。【解決手段】相対向した両端部２、２が開放した袋状シート３よりなる。両端部２、２には開閉可能にファスナー４、４が設けられ、かつ袋状シート３には、フィルター付ファン５が設けられている。【選択図】      図１
0003131800.tif 000002
【実用新案登録請求の範囲】
【請求項１】
相対向した両端部が開放した袋状シートよりなり、前記両端部には開閉可能にファスナーが設けられ、かつ前記袋状シートには、フィルター付ファンが設けられていることを特徴とする電子機器用防塵カバー。
【請求項２】
前記フィルター付ファンは、前記袋状シートの隅部に設けられていることを特徴とする請求項１記載の電子機器用防塵カバー。
【請求項３】
前記袋状シートの内部には、少なくともフィルター付ファン部分に外気導入用スペーサーが設けられていることを特徴とする請求項１記載の電子機器用防塵カバー。
【考案の詳細な説明】
【技術分野】
【０００１】
本考案は、パーソナルコンピュータ等の電子機器用防塵カバーに関する。
【背景技術】
【０００２】
パーソナルコンピュータ用防塵カバーとして、例えば特許文献１が挙げられる。このパーソナルコンピュータ用防塵カバーは、カバー本体と前面カバーとからなっている。カバー本体は、前面及び下方が開放し、前面の左右にあるファスナーにより前面カバーが取外し可能に取付けられている。
【特許文献１】実開平６−４８０２２号公報
【考案の開示】
【考案が解決しようとする課題】
【０００３】
上記パーソナルコンピュータ用防塵カバーは、パーソナルコンピュータに被せて覆うだけであり、密閉度が低いため、特に稼働中の防塵性が低い。またパーソナルコンピュータの設置方向（横置き又は縦置き）に対応が困難である。またカバー本体は、立体的な縫製であるので、コスト高になる。
【０００４】
本考案の課題は、密閉度が高くて稼働中の防塵性が高く、また設置方向にも対応でき、かつコスト低減が図れる電子機器用防塵カバーを提供することにある。
【課題を解決するための手段】
【０００５】
上記課題を解決するための本考案の請求項１は、相対向した両端部が開放した袋状シートよりなり、前記両端部には開閉可能にファスナーが設けられ、かつ前記袋状シートには、フィルター付ファンが設けられていることを特徴とする。
【０００６】
上記課題を解決するための本考案の請求項２は、上記請求項１において、前記フィルター付ファンは、前記袋状シートの隅部に設けられていることを特徴とする。
【０００７】
上記課題を解決するための本考案の請求項３は、上記請求項１において、前記袋状シートの内部には、少なくともフィルター付ファン部分に外気導入用スペーサーが設けられていることを特徴とする。
【考案の効果】
【０００８】
電子機器は、全面が電子機器用防塵カバーで覆われるので、密閉度が高くて稼働中の防塵性が高い。また電子機器の横置き及び縦置きの設置方向に容易に対応できる。また袋状シートよりなるので、コスト低減が図れる。
【考案を実施するための最良の形態】
【０００９】
本考案の電子機器用防塵カバーの一実施の形態を図１乃至図６により説明する。図１に示すように、電子機器用防塵カバー１は、相対向した両端部２、２が開放した合成樹脂製の帯電防止の袋状シート３よりなっている。袋状シート３の両端部２、２は、スライドファスナー又は面ファスナー等のファスナー４、４により開閉可能となっている。また袋状シート３の隅部には、外気導入用のフィルター付ファン５が設けられている。なお、６はフィルター付ファン５の電源ケーブルを示す。また袋状シート３の内部には、フィルター付ファン５の部分に通気用の外気導入用スペーサー７が設けられている。
【００１０】
次に使用方法を図２乃至図５により説明する。図２及び図３はパーソナルコンピュータ等の電子機器１０を横置きとして使用する場合を示し、図４及び図５は電子機器１０を縦置きとして使用する場合を示す。そこで、ファスナー４、４を開いて両端部２、２を開放状態にし、袋状シート３の内部に電子機器１０の前面及び背面がファスナー４、４側になるようにして入れる。この場合、本実施の形態のように、フィルター付ファン５を袋状シート３の隅部に設けると、フィルター付ファン５を、図２及び図４に示すように横置きに、又は図３及び図５に示すように上置きにして使用できる。次に、電子機器１０のケーブル類１１を端部の開放口より外側に出した後、両端部２、２のファスナー４、４を閉じる。この状態で使用する。
【００１１】
また必要に応じ、電子機器１０の設置（横置き又は縦置き）時にフィルター付ファン５の外気が電子機器１０の周囲に回り易いように、外気ガイド用スペーサー８を、図２のように電子機器１０のフィルター付ファン５側と反対側に、図３のように電子機器１０の両側に、図４のように電子機器１０の上面に配設して使用する。また図２のように電子機器１０を横置きとして使用する場合には、図６に示すようにＬ字形の外気ガイド用スペーサー８を配設してもよい。
【００１２】
このように、電子機器１０は、全面が電子機器用防塵カバー１で覆われているので、密閉度が高くて稼働中の防塵性が高い。また電子機器１０の横置き及び縦置きの設置方向に容易に対応できる。また袋状シート３よりなるので、コスト低減が図れる。
【図面の簡単な説明】
【００１３】
【図１】本考案の電子機器用防塵カバーの一実施の形態を示し、（ａ）は平面図、（ｂ）は正面図、（ｃ）は（ａ）のＡ−Ａ線断面拡大図である。
【図２】電子機器を横置きで、フィルター付ファンを横置きにして使用する場合を示し、（ａ）は正面図、（ｂ）は平面図である。
【図３】電子機器を横置きで、フィルター付ファンを上置きにして使用する場合を示し、（ａ）は正面図、（ｂ）は平面図である。
【図４】電子機器を縦置きで、フィルター付ファンを横置きにして使用する場合を示し、（ａ）は正面図、（ｂ）は平面図である。
【図５】電子機器を縦置きで、フィルター付ファンを上置きにして使用する場合を示し、（ａ）は正面図、（ｂ）は平面図である。
【図６】外気ガイド用スペーサーの配置の一例を示す平面説明図である。
【符号の説明】
【００１４】
１    電子機器用防塵カバー
２    両端部
３    袋状シート
４    ファスナー
５    フィルター付ファン
７    外気導入用スペーサー
８    外気ガイド用スペーサー
１０    電子機器
１１    ケーブル類
【図１】
0003131800.tif 000003
【図２】
0003131800.tif 000004
【図３】
0003131800.tif 000005
【図４】
0003131800.tif 000006
【図５】
0003131800.tif 000007
【図６】
0003131800.tif 000008
(57)【要約】【課題】従来のリアゲートは、著しく全長の長い自動車を積載車に積む際、リアゲートが閉まらず、自動車を傷付ける事無く積載車で運搬する為には、リアゲートを取り外したり、取り外す事が困難な為に、リアゲートを安全位置で使用せず、斜めにして固縛装置等で無理矢理固縛しての極めて危険状態での運搬となっていた。【解決手段】積載車の後方に備え付けのリアゲートを三百六十度回転させる事ができ、著しく全長の長い自動車を積む際に、リアゲートと自動車の接触を無くす事ができ、Ｕ時フック、浮き押さえバネ、ストッパー等の安全装置により走行中にリアゲートを完全固定する事で、安全輸送を確保できる。【選択図】図８
0003131791.tif 000002
【実用新案登録請求の範囲】
【請求項１】
積載車の後方に備え付けのリアゲートを三百六十度回転させる事ができ、著しく全長の長い自動車を積む際に、リアゲートと自動車の接触を無くす事ができ、Ｕ字フック、浮き押さえバネ、ストッパー等の安全装置により走行中にリアゲートを完全固定する事で、安全輸送を確保できる回転式リアゲート。
【考案の詳細な説明】
【技術分野】
【０００１】本考案は、積載車のリアゲートに関する。
【背景技術】
【０００２】
【非特許文献１】「ＨＩＮＯ  車両運搬車カタログ  ２００５」、日野自動車株式会社、２００５、Ｐ４、Ｐ５
【考案の開示】
【考案が解決しようとする課題】
【０００３】著しく全長の長い自動車を積載車に積む際、リアゲートが閉まらなかった。【０００４】自動車を傷付ける事無く積載車で運搬する為には、リアゲートを取り外さなければならなかった。【０００５】リアゲートは備え付けの為取り外す事が困難であり、苦肉の策としてリアゲートを安全位置で使用せず、斜めにして固縛装置等で無理矢理固縛しての極めて危険状態での運搬となっていた。【０００６】材質は長期間使用を目的とする為、金属等を使用するものである。
【課題を解決するための手段】
【０００７】本考案は上記目的を達成するために、リアゲートを回転式にすることで、著しく全長の長い自動車を運搬する際にもリアゲートを取り外す事無く、安全位置に置けるようにした。
【考案の効果】
【０００８】上述したように本考案の回転式リアゲートは、リアゲートを取り外す事無く安全輸送を提供できる。
【考案を実施するための最良の形態】
【０００９】以下、本考案の実施の形態を図１〜図８に基づいて説明する。
【実施例】
【００１０】考案者本人が使用実験を継続中。
尚、約一年間使用経過報告ではあるが、不具合は認められない。
【産業上の利用可能性】
【００１１】本考案はリアゲートと荷台の高さを計測し、製造するので、リアゲートを使用するすべての積載車に対応できる。
【図面の簡単な説明】
【００１２】
【図１】本考案品の標準使用時の図
【図２】本考案品を標準使用時から変形させる為にストッパーをはずし、リアゲートを持ち上げている時の主要部拡大の図
【図３】Ｕ字フック部の拡大図
【図４】回転軸心棒の拡大図
【図５】本考案品の変形使用時準図１
【図６】本考案品の変形使用時準図２
【図７】本考案品の変形使用時準図３
【図８】本考案品の変形使用走行時の図
【符号の説明】
【００１３】１    リアゲート
２    浮き押さえバネ
３    ストッパー
４    ストッパー用フック
５    Ｕ時フック
６    回転軸心棒
７    Ｕ時フック受け部
【図１】
0003131791.tif 000003
【図２】
0003131791.tif 000004
【図３】
0003131791.tif 000005
【図４】
0003131791.tif 000006
【図５】
0003131791.tif 000007
【図６】
0003131791.tif 000008
【図７】
0003131791.tif 000009
【図８】
0003131791.tif 000010